(57)【特許請求の範囲】
【請求項１】
縦線材と横線材を格子状に配設したメッシュパネルから成る忍返体の取付構造であって、忍返体は下部に形成した胴縁部と上部に形成した縦線材を途中箇所において切断した忍返部を有し、忍返体被取付部は縦線材と横線材を格子状に配設し且つ上部に胴縁部を形成したメッシュパネルから成るフェンス体の上面とし、忍返体の胴縁部に位置する横線材を上方から抱持する上側固定金具と、フェンス体の胴縁部に位置する横線材を下方から抱持する下側固定金具と、上側固定金具と下側固定金具の間に配置されメッシュパネルの隣接する縦線材の間隔に相当する幅と所定の厚みを有するスペーサーとを用い、上側固定金具、下側固定金具及びスペーサーに形成した貫通孔を挿通する螺子部材によって忍返体をフェンス体の上面に固定したことを特徴とする忍返体の取付構造。
【請求項２】
スペーサーの上面に凸部、下面に凹部を形成し、上側に隣接するスペーサーの凹部に下側に隣接するスペーサーの凸部を嵌合して複数のスペーサーを重ね合わせ可能としたことを特徴とする請求項１に記載の忍返体の取付構造。
【発明の詳細な説明】
【技術分野】
【０００１】
この発明は、縦線材と横線材を格子状に連結したメッシュパネルから成る忍返体の取付構造に関するものであり、忍返体をメッシュパネルから成るフェンス体の上面に外観良く、しかも安定して取付けることのできる忍返体の取付構造に関するものである。
【背景技術】
【０００２】
従来、侵入者によるフェンス、塀等の乗り越えを防止するために、フェンス、塀等の上端部に忍返体を設けたものが提案されている。
特許文献１、２には、縦線材と横線材を格子状に連結した所謂メッシュパネル体からなる忍返体を設けたフェンスが開示されている。特許文献１、２に示される忍返体は、フェンス体を支持する支柱に沿って取付けられたものであり、忍返体の両側は支柱に安定して支持されるものであった。
【０００３】
しかしながら、特許文献１、２に示された忍返体の取付構造は、支柱によって忍返体が支持されているので、予め忍返体を取付可能な高さに形成した支柱にしか取付けることが出来ないものであった。特に、支柱はフェンス体を設置する際に立設するものなので、忍返体を取付けることを予定して支柱を立設したものであり、特許文献１、２に示された忍返体は、既設のフェンス体に取付けることを想定していないものであった。
【０００４】
既設のメッシュパネルから成るフェンス体の上端にメッシュパネル体から成る忍返体を設ける場合、フェンス体と忍返体の縦線材の位置にズレが生じると、見栄えの悪化を招くものであった。さらに、メッシュパネルの線材は一般的に丸棒状の鉄線によって形成されているので、フェンス体の縦線材上に忍返体の縦線材を安定して載置することが困難であり、単にフェンス体の上面に忍返体を載置しただけでは、縦線材の位置ズレを起こし易いものであった。
【０００５】
通常メッシュパネルの線材は、亜鉛メッキを施した鉄線によって形成されており、表面にポリエチレン樹脂、アクリル樹脂等によってコーティングを施し、外観を良好なものとすると共に線材端部の角を覆って安全性を確保し、錆発生を抑制している。
メッシュパネルの忍返体を塀等の上端に取付ける場合、忍返体を塀等の上面に直に取付けたのでは、表面をコーティングしている樹脂が損傷し、鉄線が露出する。金属部分が露出すると錆の発生、外観の悪化を招き、長期の使用に耐え難いものであった。
【０００６】
【特許文献１】実開昭５７−５４５６８号公報
【特許文献２】特開２００４−１０７９３５号公報
【発明の開示】
【発明が解決しようとする課題】
【０００７】
本発明の目的は、メッシュパネルから成るフェンス体の上面に、メッシュパネル体から成る忍返体を取付けるに当り、外観を良好なものとし、支柱等を設けなくても安定して取付けることのできる忍返体の取付構造を提供することにある。
【課題を解決するための手段】
【０００８】
本発明者は、このような事情に鑑み鋭意検討を重ねた結果、縦線材と横線材を格子状に配設したメッシュパネルから成る忍返体の取付構造であって、忍返体は下部に形成した胴縁部と上部に形成した縦線材を途中箇所において切断した忍返部を有し、忍返体被取付部は縦線材と横線材を格子状に配設し且つ上部に胴縁部を形成したメッシュパネルから成るフェンス体の上面とし、忍返体の胴縁部に位置する横線材を上方から抱持する上側固定金具と、フェンス体の胴縁部に位置する横線材を下方から抱持する下側固定金具と、上側固定金具と下側固定金具の間に配置されメッシュパネルの隣接する縦線材の間隔に相当する幅と所定の厚みを有するスペーサーとを用い、上側固定金具、下側固定金具及びスペーサーに形成した貫通孔を挿通する螺子部材によって忍返体をフェンス体の上面に固定したことによって、所期の目的を達成したものである。
【００１０】
請求項２の発明に係る忍返体の取付構造は、請求項１に記載の忍返体の取付構造において、スペーサーの上面に凸部、下面に凹部を形成し、上側に隣接するスペーサーの凹部に下側に隣接するスペーサーの凸部を嵌合して複数のスペーサーを重ね合わせ可能としたものである。
【発明の効果】
【００１２】
本発明の忍返体の取付構造によれば、メッシュパネル体から成るフェンス体の上端に忍返体を設ける際には、上側固定金具と下側固定金具の間に配置するスペーサーの幅をメッシュパネルの縦線材の間隔に相当する幅としているので、スペーサーによって縦線材の移動を規制し、フェンス体と忍返体の縦線材の位置を容易に合わせることができ、しかも忍返体を安定して取付けることができる。
【発明を実施するための最良の形態】
【００１４】
以下、本発明を実施するための最良の形態を実施例に基づき説明する。
図１乃至図８は本発明忍返体の取付構造の実施例であり、図中１は忍返体を表わし、忍返体１は、縦線材１Ａと横線材１Ｂを格子状に配設したメッシュパネル１Ｃによって形成されている。忍返体１は下部にメッシュパネル１Ｃを折り曲げ形成した胴縁部１Ｄが形成され、上部に縦線材１Ａを途中箇所において切断した忍返部１Ｅが形成されている。胴縁部１Ｄは図３、８に示したとおり、側面視略５角形となる鍵形状を呈しており、下面には２本の横線材１Ｂが平行に配設されている。
【００１５】
忍返体１が取付けられる忍返体被取付部であるフェンス体２は、縦線材２Ａと横線材２Ｂを格子状に配設したメッシュパネル２Ｃによって形成されている。フェンス体２は、上部にメッシュパネル２Ｃを折り曲げ形成した胴縁部２Ｄが形成されている。胴縁部２Ｄは図３に示したとおり、側面視略５角形状を呈しており、上面には２本の横線材２Ｂが平行に配設され、忍返体１の胴縁部１Ｄと面対称の形状となっている。
フェンス体２の設置場所には、適当な間隔を置いて支柱３が立設されており、メッシュパネル２Ｃは支柱３によって支持されている。支柱３はメッシュパネル２Ｃの一側に位置しており、メッシュパネル２Ｃの任意位置が支柱３に取付可能となっている。
【００１６】
忍返体１は、フェンス体２の上面に載置されている。忍返体１の下面に位置する横線材１Ｂは上方に位置する上側固定金具４によって抱持され、フェンス体２の上面に位置する横線材２Ｂは下方に位置する下側固定金具５によって抱持されている。上側固定金具４と下側固定金具５は図５に示したとおり、同一部品であり、両側に横線材１Ｂ、２Ｂを抱持する抱持部４１，５１が形成されている。
【００１７】
上側固定金具４と下側固定金具５の間には、所定の厚みを有するスペーサー６が二つ重ね合わせて配置されており、該スペーサー６はＡＡＳ樹脂（アクリロニトリル・アクリルゴム・スチレン共重合体）によって形成されている。スペーサー６の長手方向の幅Ｌ１は、忍返体１とフェンス体２の縦線材１Ａ，２Ａの間隔Ｌ２と略等しく形成されている。スペーサー６の下面には凹部６１が形成され、上面には凸部６２が形成されている。スペーサー６は重ね合わせ可能であり、上側に隣接するスペーサー６の凹部６１に、下側に隣接するスペーサー６の凸部６２が嵌合可能となっている。
【００１８】
上側固定金具４、下側固定金具５とスペーサー６の中央部には夫々貫通孔４２，５２，６３が形成されており、上側固定金具４、下側固定金具５とスペーサー６を重ね合わせた際に、これら貫通孔４２，５２，６３の位置が一致する。貫通孔４２，５２，６３に螺子部材７が挿通され、螺子部材７を螺子締することによって忍返体１がフェンス体２に固着される。
【００１９】
スペーサー６の長手方向の幅Ｌ１は、忍返体１とフェンス体２を形成するメッシュパネル１Ｃ，２Ｃの隣接する縦線材１Ａ，２Ａの間隔Ｌ２と略等しくなっているので、上側固定金具４と下側固定金具５の間に配設するスペーサー６の長手方向が、横線材１Ｂ，２Ｂと平行且つ縦線材１Ａ，２Ａに対して直交するようにスペーサー６を配設すれば、忍返体１とフェンス体２の縦線材同士１Ａ，２Ａの位置が所定の厚みを有するスペーサー６の端面によって規制されて一致し、縦線材１Ａ，２Ａが連続しているかのような良好な外観を与えるものである。
なお、スペーサーの厚みは、図３に示すように忍返体１の下面とフェンス体２の上面の間に、隙間が形成できる程度であれば良い。即ち、螺子部材７によって忍返体１をフェンス体２の上面に取付けた際に、忍返体１の縦線材１Ａとフェンス体２の縦線材２Ａが当接しなければ、螺子部材７の締付力によって、縦線材１Ａ，２Ａの位置ズレが生じない。
【００２０】
次に、忍返体１を忍返体被取付部である塀等の平面上に取付ける場合について説明する。忍返体１の下面に位置する横線材１Ｂを、上側固定金具４によって抱持して取付けるが、忍返体１を塀８の上面に直に載置したのでは、線材１Ａ，１Ｂの表面を覆っている樹脂コーティング材が損傷し、線材１Ａ，１Ｂの金属部分が露出して錆の発生を防ぐことができない。
【００２１】
本発明の取付構造では、上面に保持溝６４を形成したスペーサー６を忍返体１の設置場所に配置し、忍返体１の胴縁部１Ｄ下面に位置する横線材１Ｂがスペーサー６の保持溝６４に嵌合するよう忍返体１をスペーサー６の上面に載置し、横線材１Ｂの上から上側固定金具４を被せ、上側固定金具４とスペーサー６の貫通孔４２，６３に螺子部材７を挿通して螺子締することにより、忍返体１の固定が完了する。
忍返体１はスペーサー６を介して塀８の上面に載置されるので、線材１Ａ，１Ｂの樹脂コーティングが塀８の表面によって損傷せず、しかも横線材１Ｂが保持溝６４に嵌合しているので、安定して忍返体１を取付けることができる。
なお、忍返体１は塀８の他、建物のパラペットの上面に取付けることができる。
【００２２】
スペーサー６の上面に形成した保持溝６４は、平行状に複数形成されており、胴縁１Ｄに配置した横線材１Ｂの間隔が異なる忍返体１であっても載置可能となっている。
図中９は、隣接する忍返体１同士及び隣接するフェンス体２同士を連結する連結金具である。
上記実施例において、スペーサーはＡＡＳ樹脂によって形成したが他の材質のものであっても構わない。忍返体１とフェンス体２の胴縁部１Ｄ、２Ｄの形状は、側面視略五角形としたが、四角形等種々の形状とすることができる。
【図面の簡単な説明】
【００２３】
【図１】フェンス体の上面に忍返体を取付けた状態を表わす正面図
【図２】図１における要部拡大図
【図３】図１の要部拡大側面図
【図４】スペーサーの（Ａ）平面図と（Ｂ）側面図
【図５】上側固定金具、下側固定金具の（Ａ）平面図と（Ｂ）側面図
【図６】塀等の上面に忍返体を取付けた状態を表わす正面図
【図７】図６における要部拡大図
【図８】図６の要部拡大側面図
【符号の説明】
【００２４】
１      忍返体
１Ａ      縦線材（忍返体）
１Ｂ      横線材（忍返体）
１Ｃ      メッシュパネル（忍返体）
１Ｄ      胴縁部（忍返体）
２      フェンス体
２Ａ      縦線材（フェンス体）
２Ｂ      横線材（フェンス体）
２Ｃ      メッシュパネル（フェンス体）
２Ｄ      胴縁部（フェンス体）
４      上側固定金具
５      下側固定金具
６      スペーサー
８      塀
７      螺子部材
４２，５２      貫通孔（上側固定金具、下側固定金具）
４１，５１      抱持部（上側固定金具、下側固定金具）
６３      貫通孔（スペーサー）
６４      保持溝
【図１】
0004688621.tif 000002
【図２】
0004688621.tif 000003
【図３】
0004688621.tif 000004
【図４】
0004688621.tif 000005
【図５】
0004688621.tif 000006
【図６】
0004688621.tif 000007
【図７】
0004688621.tif 000008
【図８】
0004688621.tif 000009